(57)【要約】【課題】安価に構築することができ、制御素子の不正取り替え、不正改造をきわめて効果的に防止することが可能な遊技機を提供する。【解決手段】パチンコ機の制御装置１は、上カバー６の左右にネジ保持部９ａ，９ｂ・・が切断容易に設けられており、左上方および右下方のネジ保持部９ａ，９ａを、回転伝達機構を備えたワンウェイクラッチタイプの封印ネジ１３によってネジ係合体２０，２０に螺着することにより、上カバー６と下カバー５とが合着されている。一方、ネジ保持部９ｂ，９ｂ・・内には非ワンウェイクラッチタイプの封印ネジ１４が保持されている。封印ネジ１３は、回転操作部材を時計回りに回転させた場合にのみ、回転力が雄ネジ部６１に伝達されて雄ネジ部が回転する。一方、封印ネジ１４は、ネジ突起の垂直面にマイナスのドライバを押し当てて右向きに回転させた場合にのみ、回転する。【選択図】図４
2011041715.tif 000002
【特許請求の範囲】
【請求項１】
遊技内容を制御するための制御装置を備えた遊技機であって、
前記制御装置が、
上カバー、およびその上カバーと合致する下カバーによって、制御素子を設置した基板が覆われているとともに、
前記下カバーと螺合する封印ネジを保持した複数のネジ保持部が、切断可能な取付片を介して前記上カバーの端縁に設けられており、
ネジ保持部に保持された封印ネジを前記下カバーと螺合することによって、前記上カバーを下カバーに対して閉じた状態で保持するものであり、
前記封印ネジの内の一部が、
ネジ部を有する回転部材の内周または外周に、円筒部とこの円筒部の一方の開口をふさぐ覆い部とを有する回転操作部材を設け、この回転操作部材で、上記回転部材の外周および上方を覆う一方、回転部材と回転操作部材との間に、上記ネジ部を締め付ける方向にはそれら回転部材と回転操作部材とを一体回転させ、上記ネジ部を緩める方向にはそれら回転部材と回転操作部材とを自由回転させる回転伝達機構を設けたものであることを特徴とする遊技機。
【請求項２】
遊技内容を制御するための複数の制御装置を備えた遊技機であって、
前記各制御装置が、
上カバー、およびその上カバーと合致する下カバーによって、制御素子を設置した基板が覆われているとともに、
前記下カバーと螺合する封印ネジを保持した複数のネジ保持部が、切断可能な取付片を介して前記上カバーの端縁に設けられており、
ネジ保持部に保持された封印ネジを前記下カバーと螺合することによって、前記上カバーを下カバーに対して閉じた状態で保持するものであり、
前記制御装置の内の一部の封印ネジが、
ネジ部を有する回転部材の内周または外周に、円筒部とこの円筒部の一方の開口をふさぐ覆い部とを有する回転操作部材を設け、この回転操作部材で、上記回転部材の外周および上方を覆う一方、回転部材と回転操作部材との間に、上記ネジ部を締め付ける方向にはそれら回転部材と回転操作部材とを一体回転させ、上記ネジ部を緩める方向にはそれら回転部材と回転操作部材とを自由回転させる回転伝達機構を設けたワンウェイクラッチタイプの封印ネジであることを特徴とする遊技機。
【請求項３】
前記ワンウェイクラッチタイプの封印ネジの回転伝達機構が、
上記回転部材と回転操作部材との間に介在させたコイルスプリングからなり、このコイルスプリングの一端を上記回転部材あるいは回転操作部材のいずれか一方に止め、上記ネジ部を締め付ける方向に回転操作部材を回転させたときコイルスプリングのコイル径を縮径もしくは拡径して、コイルスプリングの内周もしくは外周を回転部材または回転操作部材に圧接し、これら回転部材と回転操作部材とを一体回転させる一方、上記回転操作部材を、上記ネジ部を緩める方向に回転させたとき、上記コイルスプリングの圧接力を小さくして、回転部材と回転操作部材とを相対回転するものであることを特徴とする請求項１、または請求項２に記載の遊技機。
【請求項４】
前記ワンウェイクラッチタイプの封印ネジが、
上記ネジ部を締め付け対象にネジ結合させるとともに、ネジ部を締め付ける方向に回転操作部材を回転したときのネジ結合の締め付け力が、予め定めた設定値に達した場合に、回転部材と回転操作部材とが、上記スプリングの圧接力に抗して相対回転するものであることを特徴とする請求項３に記載の遊技機。
【請求項５】
前記ワンウェイクラッチタイプの封印ネジが、
上記雄ネジ部にシャフトからなる回転部材を同一軸線上に設け、この回転部材の周囲に、当該回転部材の外径よりもわずかに小さいコイル径を有するコイルスプリングを設け、このコイルスプリングを設けた回転部材を、上記回転操作部材で覆うとともに、上記コイルスプリングの一端を回転操作部材の内面に止めたものであることを特徴とする請求項２、または請求項４に記載の遊技機。
【請求項６】
前記ワンウェイクラッチタイプの封印ネジの回転伝達機構が、
上記回転部材の外周と上記回転操作部材の円筒部内面との間に形成した空間に回転体を介在させてなり、この回転体を介在させるための空間は、上記ネジ部を締め付ける回転方向に向かって幅広部から幅狭部に変化する構成にするとともに、最大幅広部は上記回転体の直径よりも大きくし、最小幅狭部は上記回転体の直径よりも小さくしたものであることを特徴とする請求項１、または請求項２に記載の遊技機。
【請求項７】
前記ワンウェイクラッチタイプの封印ネジの回転伝達機構が、
上記回転伝達機構が、上記最小幅狭部よりも、上記ネジ部の締め付け方向前方部位における回転操作部材の円筒部内周あるいは回転部材の外周のいずれか一方もしくは双方に段部を形成し、この段部を境にして上記ネジ部の締め付け方向前方部位に、回転体の直径よりも大きな空間からなる拡幅部を形成したものであることを特徴とする請求項６に記載の遊技機。
【請求項８】
前記ワンウェイクラッチタイプの封印ネジが、
上記回転部材の外周と回転操作部材の内周とのそれぞれに抜止め用突部を設け、これら抜止め用突部が、直接または間接的に引っ掛かり合い、回転操作部材が抜けて回転部材が露出するのを防止するものであることを特徴とする請求項１〜７のいずれかに記載の遊技機。
【発明の詳細な説明】
【技術分野】
【０００１】
本発明は、パチンコ機、スロットマシーン等の遊技機に関するものであり、詳しくは、遊技内容を制御するための制御装置を覆う上下カバーが、一度締め付けたら外すことができない封印ネジによって封印された遊技機に関するものである。
【背景技術】
【０００２】
パチンコ機、スロットマシーン等の遊技機には、遊技内容を制御するための制御装置が設けられており、当該制御装置の内部の基板上には、ＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機の制御装置の中には、複数のネジ保持部を左右両端縁に設けた上カバーと、その上カバーと合致する下カバーとによって、制御素子を設置した基板を覆うとともに、左右のネジ保持部の内の一つずつを、封印ネジ（基端部の外面に対して垂直な面と基端部の外面に対して緩やかに傾斜した面とを有するネジ突起が基端部に設けられており、締め付け方向に回すときには、当該ネジ突起がドライバーとかみ合い、緩める方向に回すときには、当該ネジ突起がドライバーとかみ合わない構造を有するもの）を用いて、ドライバ等では外れないように下カバーに螺着することにより、ネジ保持部を切断しなければ上カバーを取り外すことができないようにして、上カバーの取り外しの痕跡が残るように構成したものがある（特許文献１）。
【先行技術文献】
【特許文献】
【０００３】
【特許文献１】特開平１１−０００４４４号公報
【発明の概要】
【発明が解決しようとする課題】
【０００４】
しかしながら、上記した上カバーに設けられたネジ保持部を封印ネジによって下カバーと螺着した制御装置は、ペンチ等の工具によって頭部を把持して封印ネジを緩める方向に回せば、当該封印ネジを外すことが可能となってしまうため、容易に上カバーを取り外すことができてしまう。このため、そのような制御装置を設けた遊技機においては、近年では、制御素子の不正取り替え、不正改造を効果的に防止することができなくなっていた。
【０００５】
本発明の目的は、上記従来の遊技機の問題点を解消し、きわめて制度の高い封印機能を発揮する封印ネジによって制御装置の上下カバーが封印されており、制御素子の不正取り替え、不正改造をきわめて効果的に防止することが可能で安価に構築することができる実用的な遊技機を提供することにある。
【課題を解決するための手段】
【０００６】
本発明の内、請求項１に記載された発明は、遊技内容を制御するための制御装置を備えた遊技機であって、前記制御装置が、上カバー、およびその上カバーと合致する下カバーによって、制御素子を設置した基板が覆われているとともに、前記下カバーと螺合する封印ネジを保持した複数のネジ保持部が、切断可能な取付片を介して前記上カバーの端縁に設けられており、ネジ保持部に保持された封印ネジを前記下カバーと螺合することによって、前記上カバーを下カバーに対して閉じた状態で保持するものであり、前記封印ネジの内の一部が、ネジ部を有する回転部材の内周または外周に、円筒部とこの円筒部の一方の開口をふさぐ覆い部とを有する回転操作部材を設け、この回転操作部材で、上記回転部材の外周および上方を覆う一方、回転部材と回転操作部材との間に、上記ネジ部を締め付ける方向にはそれら回転部材と回転操作部材とを一体回転させ、上記ネジ部を緩める方向にはそれら回転部材と回転操作部材とを自由回転させる回転伝達機構（ワンウェイクラッチ機構）を設けたものであることを特徴とするものである。
【０００７】
請求項２に記載された発明は、遊技内容を制御するための複数の制御装置を備えた遊技機であって、前記各制御装置が、上カバー、およびその上カバーと合致する下カバーによって、制御素子を設置した基板が覆われているとともに、前記下カバーと螺合する封印ネジを保持した複数のネジ保持部が、切断可能な取付片を介して前記上カバーの端縁に設けられており、ネジ保持部に保持された封印ネジを前記下カバーと螺合することによって、前記上カバーを下カバーに対して閉じた状態で保持するものであり、前記制御装置の内の一部の封印ネジが、ネジ部を有する回転部材の内周または外周に、円筒部とこの円筒部の一方の開口をふさぐ覆い部とを有する回転操作部材を設け、この回転操作部材で、上記回転部材の外周および上方を覆う一方、回転部材と回転操作部材との間に、上記ネジ部を締め付ける方向にはそれら回転部材と回転操作部材とを一体回転させ、上記ネジ部を緩める方向にはそれら回転部材と回転操作部材とを自由回転させる回転伝達機構（ワンウェイクラッチ機構）を設けたワンウェイクラッチタイプの封印ネジであることを特徴とするものである。
【０００８】
請求項３に記載された発明は、請求項１、または請求項２に記載された発明において、前記封印ネジの回転伝達機構が、上記回転部材と回転操作部材との間に介在させたコイルスプリングからなり、このコイルスプリングの一端を上記回転部材あるいは回転操作部材のいずれか一方に止め、上記ネジ部を締め付ける方向に回転操作部材を回転させたときコイルスプリングのコイル径を縮径もしくは拡径して、コイルスプリングの内周もしくは外周を回転部材または回転操作部材に圧接し、これら回転部材と回転操作部材とを一体回転させる一方、上記回転操作部材を、上記ネジ部を緩める方向に回転させたとき、上記コイルスプリングの圧接力を小さくして、回転部材と回転操作部材とを相対回転するものであることを特徴とするものである。
【０００９】
請求項４に記載された発明は、請求項３に記載された発明において、前記封印ネジが、上記ネジ部を締め付け対象にネジ結合させるとともに、ネジ部を締め付ける方向に回転操作部材を回転したときのネジ結合の締め付け力が、予め定めた設定値に達した場合に、回転部材と回転操作部材とが、上記スプリングの圧接力に抗して相対回転するものであることを特徴とするものである。
【００１０】
請求項５に記載された発明は、請求項４に記載された発明において、前記封印ネジが、上記雄ネジ部にシャフトからなる回転部材を同一軸線上に設け、この回転部材の周囲に、当該回転部材の外径よりもわずかに小さいコイル径を有するコイルスプリングを設け、このコイルスプリングを設けた回転部材を、上記回転操作部材で覆うとともに、上記コイルスプリングの一端を回転操作部材の内面に止めたものであることを特徴とするものである。
【００１１】
請求項６に記載された発明は、請求項１、または請求項２に記載された発明において、前記封印ネジの回転伝達機構が、上記回転部材の外周と上記回転操作部材の円筒部内面との間に形成した空間に回転体を介在させてなり、この回転体を介在させるための空間は、上記ネジ部を締め付ける回転方向に向かって幅広部から幅狭部に変化する構成にするとともに、最大幅広部は上記回転体の直径よりも大きくし、最小幅狭部は上記回転体の直径よりも小さくしたものであることを特徴とするものである。
【００１２】
請求項７に記載された発明は、請求項６に記載された発明において、前記封印ネジの回転伝達機構が、上記回転伝達機構が、上記最小幅狭部よりも、上記ネジ部の締め付け方向前方部位における回転操作部材の円筒部内周あるいは回転部材の外周のいずれか一方もしくは双方に段部を形成し、この段部を境にして上記ネジ部の締め付け方向前方部位に、回転体の直径よりも大きな空間からなる拡幅部を形成したものであることを特徴とするものである。
【００１３】
請求項８に記載された発明は、請求項１〜７のいずれかに記載された発明において、前記封印ネジが、上記回転部材の外周と回転操作部材の内周とのそれぞれに抜止め用突部を設け、これら抜止め用突部が、直接または間接的に引っ掛かり合い、回転操作部材が抜けて回転部材が露出するのを防止するものであることを特徴とするものである。
【発明の効果】
【００１４】
請求項１に記載された遊技機の制御装置に用いられる封印ネジは、ネジ部を締める方向に回転操作部材を回すと、回転操作部材と回転部材とが一体回転してネジ部がその締め付け方向に回って締め付け対象を封印する。一方、ネジ部を緩める方向に回転操作部材を回すと、この回転操作部材が空回りするので、当該封印ネジを緩めることができない。しかも、上記回転操作部材の円筒部と覆い部によってネジ部と直結している回転部材の外周を覆うので、上記回転部材をペンチなどで直接摘んでそれを回すことはできない。したがって、当該封印ネジは、ほぼ完璧な封印機能を発揮することができる。それゆえ、当該封印ネジを利用した制御装置は、取付片を切断することなく上カバーが不正に取り外される事態を効果的に防止することができる。したがって、請求項１に記載された遊技機によれば、制御装置の内部に搭載された制御素子の不正取り替え、不正改造を効果的に防止することが可能となる。加えて、請求項１〜８に記載された遊技機は、制御装置の一部のネジ保持部にワンウェイクラッチタイプの封印ネジが使用されており、他のネジ保持部に非ワンウェイクラッチタイプの封印ネジが使用されているため、全てのネジ保持部にワンウェイクラッチタイプの封印ネジを使用した場合に比べて、安価に構築することができる。
【００１５】
請求項２に記載された遊技機の制御装置も、請求項１に記載された遊技機の制御装置と同様に、封印ネジがほぼ完璧な封印機能を発揮するため、取付片を切断することなく上カバーが不正に取り外される事態をより効果的に防止することができる。したがって、請求項２に記載された遊技機も、請求項１に記載された遊技機と同様に、制御装置の内部に搭載された制御素子の不正取り替え、不正改造を非常に効果的に防止することができる。また、請求項２に記載された遊技機は、複数の制御装置の内の一部がワンウェイクラッチタイプの封印ネジによって封印されており、他の制御装置が非ワンウェイクラッチタイプの封印ネジによって封印されているため、全ての制御装置ネジをワンウェイクラッチタイプの封印ネジで封印した場合に比べて、安価に構築することができる。
【００１６】
請求項３に記載された遊技機の制御装置に用いられる封印ネジは、回転伝達機構としてコイルスプリングを用いたので、その構成を簡単にでき、そのコストを大幅に軽減させることができる。したがって、請求項３に記載された遊技機は、安価に製造することができる。
【００１７】
請求項４に記載された遊技機の制御装置に用いられる封印ネジは、ネジ結合の締め付け力が、予め定めた設定値に達したとき、回転部材と回転操作部材とが、上記スプリングの圧接力に抗して相対回転するので、当該封印ネジを必要以上に締め付けて、そのネジ部をねじ切ったりすることができない。このように、ネジ部を緩めることもできなければ、ねじ切ったりすることもできないので、封印状態を解除できず、完璧な封印機能を発揮させることができる。それゆえ、当該封印ネジを利用した制御装置は、取付片を切断することなく上カバーが不正に取り外される事態をより効果的に防止することができる。したがって、請求項４に記載された遊技機によれば、制御装置の内部に搭載された制御素子の不正取り替え、不正改造を非常に効果的に防止することが可能となる。
【００１８】
請求項６に記載された遊技機の制御装置に用いられる封印ネジは、ネジ部を締め付ける方向に回転操作部材を回転させるときには、回転体が幅狭部に食い込むようになるので、回転操作部材と回転部材とが一体回転して、ネジ部を強い力で締め付けることができる。しかも、ネジ部を緩める方向に回転操作部材を回転させるときには、回転体が幅広部側に移動し、回転操作部材が回転部材に対して自由回転するので、ネジ部を緩めることができない。特に、回転体が幅狭部に食い込むので、回転操作部材の回転力が回転部材に確実に伝達されることになる。それゆえ、当該封印ネジを利用した制御装置は、取付片を切断することなく上カバーが不正に取り外される事態をより効果的に防止することができる。したがって、請求項６に記載された遊技機によれば、制御装置の内部に搭載された制御素子の不正取り替え、不正改造を非常に効果的に防止することが可能となる。
【００１９】
請求項７に記載された遊技機の制御装置に用いられる封印ネジは、ネジ結合の締め付け力が、予め定めた設定値に達したとき、回転体が段部を乗り越えて拡幅部に移動し、回転操作部材が回転部材に対して自由回転するので、当該封印ネジを必要以上に締め付けて、そのネジ部をねじ切ったりすることができない。それゆえ、当該封印ネジを利用した制御装置は、取付片を切断することなく上カバーが不正に取り外される事態をより効果的に防止することができる。したがって、請求項７に記載された遊技機によれば、制御装置の内部に搭載された制御素子の不正取り替え、不正改造を非常に効果的に防止することが可能となる。
【００２０】
請求項８に記載された遊技機の制御装置に用いられる封印ネジは、回転操作部材と回転部材とに抜止め用突部を設けたので、回転操作部材を抜き取って回転部材を露出させ、それを回すようなこともできない。それゆえ、当該封印ネジを利用した制御装置は、取付片を切断することなく上カバーが不正に取り外される事態を一層効果的に防止することができる。したがって、請求項８に記載された遊技機によれば、制御装置の内部に搭載された制御素子の不正取り替え、不正改造をきわめて効果的に防止することが可能となる。
【図面の簡単な説明】
【００２１】
【図１】パチンコ機の正面を示す説明図である。
【図２】パチンコ機の背面を示す説明図である。
【図３】遊技機用制御装置の正面図である。
【図４】図３におけるＡ−Ａ線断面を示す説明図である（ｂはａにおける波線部分の拡大図である）。
【図５】下カバーの下固着翼の正面を示す説明図である。
【図６】ワンウェイクラッチタイプの封印ネジの断面図（軸方向に沿って切断した場合の断面図）である。
【図７】非ワンウェイクラッチタイプの封印ネジの斜視図である。
【図８】遊技機用制御装置の斜視図（上カバーを開放した状態）である。
【図９】ワンウェイクラッチタイプの封印ネジの変更例を示す説明図（軸方向に沿って切断した場合の断面図）である。
【図１０】ワンウェイクラッチタイプの封印ネジの変更例を示す説明図（軸方向に沿って切断した場合の断面図）である。
【図１１】ワンウェイクラッチタイプの封印ネジの変更例を示す説明図（軸方向に沿って切断した場合の断面図）である。
【図１２】ワンウェイクラッチタイプの封印ネジの変更例を示す説明図（軸方向に沿って切断した場合の断面図）である。
【図１３】ワンウェイクラッチタイプの封印ネジの変更例を示す説明図（軸方向に沿って切断した場合の断面図）である。
【図１４】ワンウェイクラッチタイプの封印ネジの変更例を示す説明図（軸方向と直交する方向に切断した場合の断面図）である。
【図１５】ワンウェイクラッチタイプの封印ネジの変更例を示す説明図（軸方向と直交する方向に切断した場合の断面図）である。
【発明を実施するための形態】
【００２２】
以下、本発明の遊技機の一実施形態であるパチンコ機について、図面に基づいて、詳細に説明する。
【００２３】
＜第一実施形態＞
［パチンコ機の構造］
図１、図２は、それぞれ、第一実施形態に係るパチンコ機の正面、背面を示したものであり、パチンコ機８１の正面の中央よりやや上方には、略円形の遊技領域が設けられている。そして、遊技領域の下方には、供給皿と貯留皿とが上下に連設されており、貯留皿の右サイドには、発射ハンドルが突設されている。また、遊技領域の中央上部には、図柄表示装置が設けられており、図柄表示装置の下方には、チューリップ形状の普通電動役物（図柄始動口）が設けられている。さらに、普通電動役物の両サイドには、それぞれ、左ゲートおよび右ゲートが設けられており、普通電動役物の下側には、扉が前方へ開閉する形状の大入賞口が設置されている。加えて、遊技領域には、上記部材の他に、サイドランプ、電飾ランプ、種々の入賞口、風車、および多数の障害釘等が設けられている。一方、パチンコ機８１の背面の中央よりやや下側には、パチンコ機８１の作動内容を制御する制御装置１が設置されている。
【００２４】
［制御装置の構造］
図３は、制御装置１の正面図であり、図４は、図３におけるＡ−Ａ線断面を示す説明図である（なお、図４（ｂ）は、図４（ａ）の一部を拡大して示したものである）。制御装置１は、ＲＯＭ８やＣＰＵ等の種々の制御素子を搭載した基板４、透明な合成樹脂製の上カバー６および下カバー５等によって構成されている。
【００２５】
上カバー６は、幅広な箱形に形成されており、左右両サイドに、縦長な長方形状の外形（正面から見た場合の外形）を有する上固着翼２６，２６が設けられている。各上固着翼２６，２６の上端縁には、それぞれ、係止孔１２が穿設されている。さらに、各係止孔１２，１２の下方には、それぞれ、略円筒状で他のものより若干大径のネジ保持部９ａ、および、当該ネジ保持部９ａより小径で略円筒状の３個のネジ保持部９ｂ，９ｂ・・が、左右に位置した切断可能な取付片１０，１０によって、各上固着翼１６，１６の前面に一体的に連設されており、後方に突出した状態になっている。なお、大径のネジ保持部９ａおよび小径のネジ保持部９ｂ，９ｂ・・は、径が異なる以外は同様な構造を有している。
【００２６】
また、図４の如く、各ネジ保持部９ａ，９ａ，９ｂ，９ｂ・・の略中央には、仕切板３５が形成されており、仕切板３５の中央には、ネジ挿通孔１８が穿設されている。さらに、仕切板３５の裏側には、２つの弾性片２８，２８が後方に突出するように設けられている。そして、左側の最上方のネジ保持部９ａ、および、右側の最下方のネジ保持部９ａ（すなわち、「１」を付したもの）には、ワンウェイクラッチタイプの封印ネジ１３が、ネジ挿通孔１８に挿通され、弾性片２８，２８によって先端を把持された状態で保持されている。一方、左側の最上方以外のネジ保持部９ｂ，９ｂ・・、および、右側の最下方以外のネジ保持部９ｂ，９ｂ・・（すなわち、「２」〜「４」を付したもの）には、ワンウェイクラッチタイプとは異なる封印ネジ（以下、非ワンウェイクラッチタイプの封印ネジという）１４が、ネジ挿通孔１８に挿通され、弾性片２８，２８によって先端を把持された状態で保持されている。なお、ワンウェイクラッチタイプの封印ネジ１３は、非ワンウェイクラッチタイプの封印ネジ１４よりヘッド部が大きいため、大径のネジ保持部９ａには嵌め込み可能であるが、小径のネジ保持部９ｂ，９ｂ・・には嵌め込むことができないようになっている。
【００２７】
一方、下カバー５は、上カバー６と同一幅に形成されており、左右両サイドに、上カバー６の各上固着翼１６，１６と同様な縦長の長方形状の外形（正面から見た場合の外形）を有する下固着翼１７，１７が連設されている。そして、各下固着翼１７，１７の上端縁には、それぞれ、先端を矢尻状に形成した係止突片１１が突設されている。また、図５は、各下固着翼１７の正面を示したものであり、各下固着翼１７，１７の上カバー６の各ネジ保持部９，９・・と対応する位置には、ネジ孔３６を穿設してなるネジ係合体２０，２０・・が、支持アーム３３，３３および支持リブ３４，３４によって左右の壁板１９，１９等に支持された状態で設けられている。
【００２８】
制御装置１は、基板４を下カバー５の内面に螺着した状態で、上カバー６の各上固着翼１６，１６を下カバー５の各下固着翼１７，１７に重ね合わせ、各係止突片１１，１１を各係止孔１２，１２に係止させた状態で、左側の最上方のネジ保持部９ａ（「１」を付したもの）に保持されたワンウェイタイプの封印ネジ１３を時計回りに回転させることによって左側の最上方のネジ係合体２０に螺着するとともに、右側の最下方のネジ保持部９ａ（「１」を付したもの）に保持されたワンウェイタイプの封印ネジ１３を時計回りに回転させることによって右側の最下方のネジ係合体２０に螺着することによって、組み立てられている。そして、ＲＯＭ８やＣＰＵ等の種々の制御素子を搭載した基板４が、上カバー６および下カバー５によって覆われた状態になっている（なお、図３の如く、基板４は、上側の一部のみ露出した状態になっている）。
【００２９】
［ワンウェイクラッチタイプの封印ネジの構造］
図６は、ワンウェイクラッチタイプの封印ネジ１３を示したものであり、当該封印ネジ１３は、金属製の雄ネジ部６１とこの雄ネジ部６１の軸線上に一体に設けた金属製の回転部材６２とを備えるとともに、この回転部材６２の先端すなわち雄ネジ部６１とは反対端にフランジ部６２ａを形成している。そして、上記回転部材６２の周囲には、この発明の回転伝達機構を構成するコイルスプリング６３をはめているが、このコイルスプリング６３の内径は回転部材６２の外径よりも多少小さくして、コイルスプリング６３に圧入代を確保している。このようにしたコイルスプリング６３の上端すなわち上記フランジ部６２ａに隣接する端部には、外径方向に突出する突出部６３ａを設けている。
【００３０】
上記のようにコイルスプリング６３を圧入した回転部材６２は、金属製の回転操作部材６４で覆うが、この回転操作部材６４は、円筒部６４ａとこの円筒部６４ａの一方の開口をふさぐ覆い部６４ｂとによって袋ナット状にしている。このようにした円筒部６４ａの内壁面には軸線に平行にした掛け止溝６４ｃを形成するとともに、この掛け止溝６４ｃの下端を円筒部６４ａの下端開口縁に開放している。そして、コイルスプリング６３を圧入した回転部材６２の上方から、回転操作部材６４をかぶせるときには、上記掛け止溝６４ｃに、コイルスプリング６３の突出部６３ａを挿入する。ただし、この突出部６３ａは、何らかの形で回転操作部材６４に固定されていればよい。
【００３１】
上記のようにして回転操作部材６４を回転部材６２にかぶせたら、回転操作部材６４の下端における開口をリングからなる抜止め用突部６５でふさぐ。この抜止め用突部６５は、その外周を円筒部６４ａの内側に圧入して固定するとともに、回転部材６２には相対回転自在にしている。そして、この抜止め用突部６５と、上記回転部材６２の抜止め用突部６２ａとの間にコイルスプリング６３が介在し、回転操作部材６４を回転部材６２から引き抜く方向の力が作用したとき、コイルスプリング６３を介して両抜止め用突部６２ａ，６５が引っ掛かり合って、回転操作部材６４を回転部材６２から抜き取るのを防止する。したがって、上記のように引き抜く方向の力が作用したとしても、抜止め用突部６５が回転操作部材６４から抜けないようにするために十分な強度が確保できれば、抜止め用突部６５は圧入で十分である。しかし、その強度を維持できないときには、たとえば、抜止め用突部６５と回転操作部材６４とを溶接したり、あるいは抜止め用突部６５と回転操作部材６４とをネジではめ合わせたりしてもよい。
【００３２】
上記のようにリング部材６５をはめることによって、コイルスプリング６３が上記フランジ部６２ａとリング部材６５間に介在して、たとえば搬送時などに、回転部材６２が回転操作部材６４  から抜けるのを防止できる。なお、図中符号６６はワッシャーで、雄ネジ部６１と回転部材６２との境界部分に形成される段部に接触させるようにしている。
【００３３】
上記のようにした封印ネジ１３を使用するときには、雄ネジ部６１をたとえばケースなどの締め付け対象の雌ネジ部にはめるとともに、回転操作部材６４を、上記雄ネジ部６１を締め付ける方向に回す。このとき、コイルスプリング６３の圧入代分の力が作用しているので、雄ネジ部６１のネジ締め付け時の回転トルクが小さければ、回転操作部材６４の回転力で雄ネジ部６１を回すことができる。雄ネジ部６１がねじ込まれてその回転トルクが大きくなれば、回転操作部材６４と、雄ネジ部６１および回転部材６２とがわずかではあるが相対回転する。このときにコイルスプリング６３はその圧入代分の力で回転部材６２側と一体回転するとともに、突出部６３ａは回転操作部材６４と一体回転する。これによって、コイルスプリング６３が縮径して回転部材６２をその縮径力で保持し、回転操作部材６４の回転力を、コイルスプリング６３および回転部材６２を介して雄ネジ部６１に伝達する。したがって、雄ネジ部６１は回転操作部材６４の強い力で締め付けられることになる。
【００３４】
上記のように雄ネジ部６１が回転操作部材６４の回転力で締め付けられて、それがネジ終端に達し、それ以上雄ネジ部６１が回転できなくなった状態で、回転操作部材６４をさらに回転させようとしたときには、回転操作部材６４の回転トルクが、コイルスプリング６３のロックトルクに打ち勝ち、コイルスプリング６３が回転部材６２と相対回転し始める。この状態では  回転操作部材６４をどのように強い力で回しても、それが空回転することになる。したがって、回転操作部材６４を強く回しても雄ネジ部６１がねじ切れたりしない。
【００３５】
上記のように回転操作部材６４が空回転するためには、上記ロックトルクの大きさを設定値内に収める必要があるが、このロックトルクの大きさは、次の式で表すことができる。
ＴＬ＝（ＥＩδ／ＲＡ２）×（ｅ２πμＮ−１）  ・・・・・・・  （１）
ＴＳ＝（ＥＩδ／ＲＡ２）×｛１−（１／ｅ２πμＮ）｝  ・・・・  （２）
上記（１）式のＴＬはロックトルクであり、（２）式のＴＳはスリップトルクである。また、上記両式の記号は、次のとおりである。
Ｅ・・・・コイルスプリングの縦弾性係数
Ｉ・・・・コイルスプリングの断面２次モーメント
δ・・・・コイルスプリングの圧入代
ＲＡ・・・・コイルスプリングが嵌合する回転部材の半径
μ・・・・コイルスプリングと回転部材との間の摩擦係数
Ｎ・・・・コイルスプリングの有効巻き数
【００３６】
したがって、回転操作部材６４を締め付け方向に回転して雄ネジ部６１に作用させる最大トルクは、上記ロックトルクＴＬによって決めればよいことになる。また、ネジ結合の締め付け力が、予め定めた設定値に達したとき、回転部材と回転操作部材とが、上記スプリングの圧接力に抗して相対回転するといったときの設定値は、スリップトルクＴＳによって決めることができる。いずれにしても、上記ロックトルクおよびスリップトルクは、コイルスプリング６３の特性および回転部材６２の材質に応じて決まる相対的なものである。
【００３７】
また、雄ネジ部６１を締める方向に回転操作部材６４を回転させたとき、コイルスプリング６３の内径が縮径する条件は、コイルスプリング６３の巻き方向が雄ネジ部６１のつる巻き線の方向と同じで、しかも、上記突出部６３ａがコイルスプリング６３の上端において外側に突出していることである。ただし、コイルスプリング１の巻き方向を雄ネジ部６１のつる巻き線の方向と逆にしたときには、上記突出部６３ａをコイルスプリング６３の下端に位置させればよい。したがって、上記突出部６３ａの位置関係も相対的なものとなる。
【００３８】
上記のように回転操作部材６４を回して雄ネジ部６１を完全に締め付けたとき、回転操作部材６４の円筒部６４ａおよび覆い部６４ｂで、回転部材６２の外周ほぼ全域が覆われる。もし、回転部材６２が露出していれば、この回転部材６２の露出している部分をペンチなどの工具を使って回すことができてしまう。したがって、回転部材６２の外周ほぼ全域を覆うとは、ペンチなどの工具を利用して回転部材６２を直接回すことができないようにすることであって、必ずしも全域を完全に覆わなくてもよい。
【００３９】
さらに、上記回転操作部材６４は、それが破壊されないようにするために、金属製であることが望ましいが、破壊されないだけの強度を維持できるなら、特に、その材質は問わない。また、雄ネジ部６１および回転部材６２の材質も、締め付け対象との相対的な関係において一定の強度を維持できれば、その材質は問わない。
【００４０】
上記の如く、ワンウェイクラッチ機構を利用したワンウェイクラッチタイプの封印ネジ１３は、回転操作部材６４を時計回りに回転させた場合には、その回転力が雄ネジ部６１に伝達されて雄ネジ部６１が回転し、回転操作部材６４を反時計回りに回転させた場合には、その回転力が雄ネジ部６１に伝達されず、雄ネジ部６１が回転しない状態を保持する。
【００４１】
［非ワンウェイクラッチタイプの封印ネジの構造］
図７は、非ワンウェイクラッチタイプの封印ネジ１４を示したものである。当該封印ネジ１４は、ヘッドに一対のネジ突起４１，４１が突設されており、それらのネジ突起４１，４１は、ヘッドの外面に対して垂直な面と、ヘッドの外面に対して緩やかに傾斜した面とを有している。このため、ネジ突起４１，４１の垂直面にマイナスのドライバを押し当てて右向きに回転させた場合には、ドライバとネジ突起の垂直面とが係合して回転するが、ドライバを左向きに回転させた場合には、ヘッド上でドライバとネジ突起とが係合せず回転しない。
【００４２】
［遊技機に設置された制御装置の作動内容］
上記の如くパチンコ機８１の裏面側の機構板に設置された制御装置１は、搭載されたＲＯＭ８やＣＰＵ等の種々の制御素子によって、パチンコ機の作動内容を制御する。
【００４３】
そして、上カバー６のネジ保持部９ａ，９ａと下カバー５のネジ係合体２０，２０とが、ワンウェイクラッチ機構を備えた封印ネジ１３，１３によって螺着されているため、封印ネジ１３，１３を螺着時と反対方向（左回り）に回転させることができず、ネジ保持部９ａとネジ係合体２０との螺着状態を解除することができない。それゆえ、上カバー６を取り外す場合には、ネジ係合体２０，２０と螺着したネジ保持部９ａ，９ａの前方に設けられた２つの取付片１０，１０・・を、ニッパ等の工具で切断し、かかるネジ保持部９ａ，９ａを上カバー６から切り離すことによって、上カバー６と下カバー５とを分離しなければならない。
【００４４】
また、再度 上カバー６を下カバー５に合着させる場合には、左側の最上方のネジ保持部９ａ，９ａ、および、右側の最下方のネジ保持部９ａ，９ａ以外のネジ保持部９ｂ，９ｂ（すなわち、未だネジ係合体２０と螺着していない同じ番号を付したネジ保持部９ｂ，９ｂ同士）を、それぞれ、封印ネジ１４，１４により同位置のネジ係合体２０，２０と螺着すれば良い。それゆえ、一旦、上カバー６と下カバー５とを分離した後でも、再度、上カバー６を下カバー５に合着させることができ、そのような上カバー６、下カバー５の分離、合着を４回繰り返すことができる。
【００４５】
制御装置１は、上記の如く、上カバー６を下カバー５と分離するためには、取付片１０，１０・・を切断することによりネジ係合体２０，２０と螺着されたネジ保持部９ａ，９ａを上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外して、基板８上に設置された制御素子の内容をチェックすることができる。そして、チェックした後には、左上方および右下方のネジ保持部９ａ，９ａ以外のネジ保持部９ｂ，９ｂ・・の内の左右に位置した一組を、それぞれ、封印ネジ１４，１４により同位置のネジ係合体２０，２０と螺着すれば、ペンチ等の工具によって封印ネジ１４の頭部を把持しなければ、封印ネジ１３，１３を螺着時と反対方向に回転させることができず、ネジ保持部９ｂとネジ係合体２０との螺着状態を解除することができなくなる。
【００４６】
［第一実施形態に係るパチンコ機の効果］
パチンコ機８１の制御装置１に用いられる封印ネジ１３は、ネジ部（雄ネジ部６１）を有する回転部材６２の内周または外周に、円筒部６４ａとこの円筒部６４ａの一方の開口をふさぐ覆い部６４ｂとを有する回転操作部材６４を設け、この回転操作部材６４で、上記回転部材６２の外周および上方を覆う一方、回転部材６２と回転操作部材６４との間に、上記ネジ部を締め付ける方向にはそれら回転部材６２と回転操作部材６４とを一体回転させ、上記ネジ部を緩める方向にはそれら回転部材６２と回転操作部材６４とを自由回転させる回転伝達機構（ワンウェイクラッチ機構）を設けたものである。それゆえ、ネジ部を締める方向に回転操作部材６４を回すと、回転操作部材６４と回転部材６２とが一体回転してネジ部がその締め付け方向に回って締め付け対象を封印する。一方、ネジ部を緩める方向に回転操作部材６４を回すと、この回転操作部材６４が空回りするので、当該封印ネジ１３を緩めることができない。しかも、上記回転操作部材６４の円筒部６４ａと覆い部６４ｂによってネジ部と直結している回転部材６２の外周を覆うので、上記回転部材６２をペンチなどで直接摘んでそれを回すことはできない。また、接着剤によってドライバ等の工具を封印ネジのヘッド部に固着させて当該ヘッド部を緩める方向に回転させても、当該封印ネジを取り外すことができない。したがって、当該封印ネジ１３は、ほぼ完璧な封印機能を発揮することができる。それゆえ、当該封印ネジ１３を利用した制御装置１は、取付片１０，１０・・を切断することなく上カバー６が不正に取り外される事態を効果的に防止することができる。したがって、パチンコ機８１によれば、制御装置１の内部に搭載されたＲＯＭ８の不正取り替え、不正改造を効果的に防止することができる。
【００４７】
また、封印ネジ１３は、回転伝達機構が、上記回転部材６２と回転操作部材６４との間に介在させたコイルスプリング６３からなり、このコイルスプリング６３の一端を上記回転部材６２あるいは回転操作部材６４のいずれか一方に止め、上記ネジ部を締め付ける方向に回転操作部材６４を回転させたときコイルスプリング６３のコイル径を縮径もしくは拡径して、コイルスプリング６３の内周もしくは外周を回転部材６２または回転操作部材６４に圧接し、これら回転部材６２と回転操作部材６４とを一体回転させる一方、上記回転操作部材６４を、上記ネジ部を緩める方向に回転させたとき、上記コイルスプリング６３の圧接力を小さくして、回転部材６２と回転操作部材６４とを相対回転するものである。したがって、請求項１に記載された遊技機は、封印ネジ１３の回転伝達機構の構成が簡単であり、封印ネジ１３の製造コストが低いため、安価に製造することができる。
【００４８】
さらに、封印ネジ１３は、上記ネジ部を締め付け対象にネジ結合させるとともに、ネジ部を締め付ける方向に回転操作部材６４を回転したときのネジ結合の締め付け力が、予め定めた設定値に達した場合に、回転部材６２と回転操作部材６４とが、上記コイルスプリング６３の圧接力に抗して相対回転するものである。それゆえ、封印ネジ１３を必要以上に締め付けて、そのネジ部をねじ切ったりすることができない。このように、ネジ部を緩めることもできなければ、ねじ切ったりすることもできないので、封印状態を解除できず、完璧な封印機能を発揮させることができる。それゆえ、当該封印ネジ１３を利用した制御装置１は、取付片１０，１０・・を切断することなく上カバー６が不正に取り外される事態をより効果的に防止することができる。したがって、パチンコ機８１によれば、制御装置１の内部に搭載されたＲＯＭ８の不正取り替え、不正改造を非常に効果的に防止することができる。
【００４９】
加えて、封印ネジ１３は、上記回転部材６２の外周と回転操作部材６４の内周とのそれぞれに抜止め用突部６２ａ，６５を設け、これら抜止め用突部６２ａ，６５が、直接または間接的に引っ掛かり合い、回転操作部材６４が抜けて回転部材６２が露出するのを防止するものである。それゆえ、封印ネジ１３によれば、回転操作部材６４を抜き取って回転部材６２を露出させ、それを回すようなこともできない。それゆえ、当該封印ネジ１３を利用した制御装置１は、取付片１０，１０・・を切断することなく上カバー６が不正に取り外される事態を一層効果的に防止することができる。したがって、パチンコ機８１によれば、制御装置１の内部に搭載されたＲＯＭ８の不正取り替え、不正改造をきわめて効果的に防止することができる。
【００５０】
加えて、パチンコ機８１は、制御装置１の上カバー６の左上方のネジ保持部９ａ、および、右下方のネジ保持部９ａに、ワンウェイクラッチタイプの封印ネジ１３が使用されており、左上方以外のネジ保持部９ｂ，９ｂ・・、および、右下方以外のネジ保持部９ｂ，９ｂ・・には、非ワンウェイクラッチタイプの封印ネジ１４が使用されているため、全てのネジ保持部にワンウェイクラッチタイプの封印ネジ１３を使用した場合に比べて、安価に構築することができる。
【００５１】
また、パチンコ機８１の制御装置１は、ワンウェイクラッチタイプの封印ネジ１３を保持するネジ保持部９ａの大きさと非ワンウェイクラッチタイプの封印ネジ１４を保持するネジ保持部９ｂの大きさとが異っているので、予め想定したネジ保持部９ａ以外のネジ保持部９ｂ，９ｂ・・を誤ってワンウェイクラッチタイプの封印ネジ１３で螺着してしまう、という不具合が生じない。
【００５２】
＜第二実施形態＞
第二実施形態のパチンコ機８１’は、制御装置の構造が第一実施形態のパチンコ機８１と異なっている。その他の構成は、第一実施形態のパチンコ機８１と同様である。
【００５３】
［制御装置の構造］
図８は、第二実施形態の制御装置２１を示す斜視図である。制御装置２１は、ＲＯＭ等の種々の制御素子を搭載した基板２２、透明な合成樹脂製の上カバー２３および下カバー２４等によって形成されている。
【００５４】
上カバー２３は、片面を開口した直方体の箱形に形成されており、フラットな平板部の上下左右が後方へ略直角に折り曲げられた状態になっている。そして、かかる箱状の本体部の上面および下面には、それぞれ、４個のネジ保持部２５，２５・・が、同一直線状に位置するように突設されている。各ネジ保持部２５，２５・・は、矩形のベース板の表面に、筒状部が水平方向に突出するように設けられており、その筒状体の基端の中央には、ネジ孔２６が穿設されている。なお、本体部上面のネジ保持部２５，２５・・の筒状部は、本体部下面のネジ保持部２５，２５・・の筒状部に比べて、若干大径に形成されている。
【００５５】
また、各ネジ保持部２５，２５・・は、基端に位置した切断可能な３個の取付片２７，２７によって、上面あるいは下面に一体的に連設されている。そして、本体部上面のネジ保持部２５，２５・・の筒状部には、第一実施形態と同様なワンウェイクラッチタイプの封印ネジ（図示せず）が、ネジ孔２６に挿通された状態で保持されている。一方、本体部下面のネジ保持部２５，２５・・の筒状部には、第一実施形態と同様な非ワンウェイクラッチタイプの封印ネジ（図示せず）が、ネジ孔２６に挿通された状態で保持されている。
【００５６】
さらに、上面および下面の左右の両端際には、帯状の係合片３２，３２が上面あるいは下面から外側に突出するように設けられており、上面あるいは下面後方側の端縁と所定の距離を隔てて平行に対峙した状態になっている。加えて、上カバー２３の裏面には、基板２２が螺着されており、当該基板２２上のコネクタが、上カバー２３の左端に設けられたコネクタ嵌合部から露出した状態になっている。
【００５７】
一方、下カバー２４は、上カバー２３と略同一幅、同一高さを有する開口した扁平な箱状に形成されており、平板部の上下および左側が後方へ略直角に折り曲げられた状態になっている。さらに、上面および下面の前方の端縁は、それぞれ、下側、上側に折り返されており、それらの折返し部分が平板部とともに、上カバー２３の上下の係合片３２，３２と係合する係合溝３３を形成した状態になっている。そして、上面および下面には、それぞれ、４個のネジ螺着部３０，３０・・が、上カバー２３のネジ保持部２５，２５・・と同一間隔で同一直線状に位置するように突設されている。各ネジ螺着部３０，３０・・は、直方体状に形成されており、中央に穿設されたネジ孔に、上カバー２３のネジ保持部２５，２５・・内の封印ネジ１３あるいは封印ネジ１４を螺合可能なネジ溝（図示せず）が穿設されている。
【００５８】
かかる制御装置２１は、基板２２と一体になった上カバー２３の上下の係合片３２，３２を、下カバー２４の上下に設けられた係合溝３３，３３内に挿入し、上カバー２３と下カバー２４とを重ねるように左右方向にスライドさせることによって組み付けられている。そして、その状態において、上カバー２３上面の最も右側のネジ保持部２５の筒状部を、ワンウェイクラッチタイプの封印ネジによって、下カバー２４の上側の最も右側のネジ螺着部３０に螺着するとともに、上カバー２３下面の最も左側のネジ保持部２５の筒状部を、非ワンウェイクラッチタイプの封印ネジによって、下カバー２４の下側の最も左側のネジ螺着部３０に螺着することによって、上カバー２３と下カバー２４とが相対的に動かないように固定されている。
【００５９】
［第二実施形態に係るパチンコ機の効果］
上記の如く構成された制御装置２１においても、封印ネジ１３がほぼ完璧な封印機能を発揮するため、取付片１０，１０を切断することなく上カバー６が不正に取り外される事態が効果的に防止される。したがって、制御装置２１を備えたパチンコ機８１’によれば、制御装置２１の内部に搭載された制御素子（ＲＯＭ等）の不正取り替え、不正改造を効果的に防止することが可能となる。
【００６０】
加えて、パチンコ機８１’は、制御装置２１の上カバー２３の上面のネジ保持部２５，２５・・には、ワンウェイクラッチタイプの封印ネジ（第一実施形態の封印ネジ１３と同様のもの）が使用されており、下面のネジ保持部２５，２５・・には、非ワンウェイクラッチタイプの封印ネジ（第一実施形態の封印ネジ１４と同様のもの）が使用されているため、全てのネジ保持部の筒状部にワンウェイクラッチタイプの封印ネジ１３を使用した場合に比べて、安価に構築することができる。
【００６１】
また、パチンコ機８１’の制御装置は、上記の如く、スライド式の上カバー２３および下カバー２４によって基板２２が覆われているため、スライド機構を有さない合着式の上下カバーによって基板が覆われたものと異なり、上カバー２３の上面あるいは下面の一つのネジ保持部２５のみが下カバー２４のネジ螺着部３０に螺着されていれば、当該ネジ保持部のネジを外したり取付片２７を切断することなく（痕跡を残すことなく）上カバー２３と下カバー２４とを分離することが不可能である。それゆえ、パチンコ機８１’は、上記の如く、制御装置２１の上カバー２３の上面のみにワンウェイクラッチタイプの封印ネジが使用されており、上カバー２３の下面には非ワンウェイクラッチタイプの封印ネジが使用されているにも拘わらず、取付片２７，２７を切断することなく上カバー２３が不正に取り外されて制御装置２１内の制御素子が不正に取り替えられたり改造されたりする事態を、きわめて高い精度で効果的に防止することができる。
【００６２】
［遊技機の変更例］
なお、本発明の遊技機の構成は、上記実施形態の態様に何ら限定されるものではなく、制御装置（基板、上カバー、下カバー、ワンウェイタイプの封印ネジ等）の形状、構造等の構成を本発明の趣旨を逸脱しない範囲内で適宜変更することができる。
【００６３】
たとえば、制御装置の上カバーの各上固着翼に設けるネジ保持部の個数や、下カバーの左右の各下固着翼に設ける取付タブの個数は、４個に限定されず、３個以下あるいは５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。
【００６４】
また、ワンウェイタイプの封印ネジは、上記実施形態の如く、回転部材の周囲に設けられたコイルスプリングの一端を回転操作部材の内面に止めたものに限定されず、雄ネジ部、回転部材、コイルスプリング、回転操作部材、リング部材、ワッシャー等の形状、構造等の構成を必要に応じて適宜変更することができる。
【００６５】
図９は、封印ネジの変更例を示したものであり、この封印ネジ５１は、この発明の回転伝達機構を構成するコイルスプリング６３を回転操作部材６４の内側に、一定の圧入代をもってはめ込み、回転操作部材６４を回転させたとき、当該コイルスプリング６３が拡径するようにしたもので、以下にはさらに詳しく説明する。この封印ネジ５１の回転部材６２の外側には、軸線に平行にした掛け止溝６２ｂを形成するとともに、この掛け止溝６２ｂの下端を回転部材６２の下端に開放している。一方、コイルスプリング６３は、その外径を回転操作部材６４の内径よりも多少大きくして、コイルスプリング６３に圧入代を確保している。このようにしたコイルスプリング６３の上端すなわち上記抜止め用突部６２ａに隣接する端部には、内径方向に突出する突出部６３ａを設けている。
【００６６】
そして、上記回転部材６２に回転操作部材６４をかぶせるときには、まず、ワッシャー６６を外した状態で、コイルスプリング６３に回転部材６２を挿入するが、このときには上記突出部６３ａを掛け止溝６２ｂに挿入する。次に、コイルスプリング６３の下端、すなわち突出部６３ａとは反対端をペンチなどで摘んで、このコイルスプリング６３を縮径する方向に回すとともに、この縮径状態を保ったまま、回転操作部材６４を回転部材６２の上からかぶせる。回転操作部材６４を上記のようにしてかぶせたら、コイルスプリング６３の縮径力を開放する。縮径力を開放されたコイルスプリング６３は、その外周を回転操作部材６４の内壁面に圧接させる。つまり、コイルスプリング６３は回転操作部材６４に対して所定の圧入代を確保した状態で圧入された状態を保つ。なお、図９中、符号６１は雄ネジ部、６２ａはフランジからなる抜止め用突部、６４ａは円筒部、６４ｂは覆い部、６５はリングからなる抜止め用突部であって、それらは上記実施形態の封印ネジ１３と全く同様に機能するものである。
【００６７】
上記のようにした封印ネジ５１を使用するときには、上記実施形態の場合と同様に、回転操作部材６４を、上記雄ネジ部６１を締め付ける方向に回す。このとき、コイルスプリング６３の圧入代分の力が作用しているので、雄ネジ部６１の回転トルクが小さければ、回転操作部材６４の回転力で雄ネジ部６１を回すことができる。雄ネジ部６１がねじ込まれてその回転トルクが大きくなれば、回転操作部材６４と、雄ネジ部６１および回転部材６２とがわずかではあるが相対回転する。このときにコイルスプリング６３はその圧入代分の力で回転操作部材６４側と一体回転するとともに、突出部６３ａは回転部材６２と一体回転する。これによって、コイルスプリング６３が拡径して、回転操作部材６４をその拡径力で保持し、回転操作部材６４の回転力を、コイルスプリング６３および回転部材６２を介して雄ネジ部６１に伝達する。したがって、雄ネジ部６１は回転操作部材６４の強い力で締め付けられることになる。
【００６８】
上記のように雄ネジ部６１が回転操作部材６４の回転力で締め付けられて、それがネジ終端に達し、それ以上雄ネジ部６１が回転できなくなった状態で、回転操作部材６４をさらに回転させようとしたときには、回転操作部材６４の回転トルクが、コイルスプリング６３のロックトルクに打ち勝ち、コイルスプリング６３が回転操作部材６４と相対回転し始める。この状態では、回転操作部材６４をどのように強い力で回しても、それが空回転することになる。上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００６９】
図１０は、封印ネジの別の変更例を示したものであり、この封印ネジ５２の雄ネジ部６１に一体に設けた回転部材６２は、上方に向けて開口する凹部６２ｃを形成するとともに、この凹部６２ｃの内面には、軸線に平行な掛け止溝６２ｂを形成している。一方、回転操作部材６４は円筒部６４ａおよび覆い部６４ｂを形成するとともに、この円筒部６４ａの内側に雄ネジ部６１と軸心を同じにした円柱部６４ｄを形成している。そして、上記円柱部６４ｄに、この発明の回転伝達機構を構成するコイルスプリング６３を前記したと同様の圧入代を確保してはめるとともに、このコイルスプリング６３の下端に外径方向に突出させた突出部６３ａを設け、この突出部６３ａを上記掛け止溝６２ｂに挿入している。
【００７０】
なお、図１０中、６１は雄ネジ部、６５はリングからなる抜止め用突部、６６はワッシャー、６７は回転部材６２の下端に設けた段部からなる抜止め用突部であって、それらは上記実施形態の封印ネジ１３と全く同様に機能するものである。このようにした封印ネジ５２においては、雄ネジ部６１を締める方向に回転操作部材６４を回したとき、コイルスプリング６３は縮径するものである。なお、上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００７１】
図１１は、封印ネジの別の変更例を示したものであり、この封印ネジ５３の雄ネジ部６１に一体に設けた回転部材６２は、上方に向けて開口する凹部６２ｃを形成している。一方、回転操作部材６４は円筒部６４ａを形成するとともに、この円筒部６４ａの内側に雄ネジ部６１と軸心を同じにした円柱部６４ｄを形成している。そして、上記円柱部６４ｄの外側には軸線に平行な掛け止溝６４ｃを形成している。また、上記凹部６２ｃには、この発明の回転伝達機構を構成するコイルスプリング６３をはめるが、このコイルスプリング６３には、前記したと同様の圧入代を確保して、その外周を凹部６２ｃの内壁に圧接させるとともに、このコイルスプリング６３の下端に内径方向に突出させた突出部６３ａを設け、この突出部６３ａを上記掛け止溝６４ｃに挿入している。
【００７２】
なお、図１１中、６１は雄ネジ部、６５はリングからなる抜止め用突部、６６はワッシャー、６７は回転部材６２の下端に設けた段部からなる抜止め用突部であって、それらは上記実施形態の封印ネジ１３と全く同様に機能するものである。このようにした封印ネジ５３においては、雄ネジ部６１を締める方向に回転操作部材６４を回したとき、コイルスプリング６３は拡径するものである。なお、上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００７３】
図１２は、封印ネジの別の変更例を示したものであり、この封印ネジ５４は、雌ネジ部６８と回転部材６９とを一体化したものである。言い換えると、回転部材６９に雌ネジ部６８を形成したものである。そして、回転部材６９とコイルスプリング６３および回転操作部材６４との関係は、上記実施形態の封印ネジ１３と全く同じである。加えて、コイルスプリング６３がこの発明の回転伝達機構を構成することも上記実施形態と同様である。また、封印ネジ５４は、上記実施形態の封印ネジ１３における雄ネジ部６１の代わりに、これを雌ネジ部６８としたものであるが、前記した封印ネジ５１〜５３のそれぞれについても、その雄ネジ部６１に代えて雌ネジ部としてもよいものである。
【００７４】
なお、図１２中、６３ａは突出部、６４ａは円筒部、６４ｂは覆い部、６４ｃは掛け止溝、６５はリングからなる抜止め用突部、６９ａはフランジからなる抜止め用突部であって、それらは上記実施形態の封印ネジ１３と全く同様に機能するものである。また、上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００７５】
図１３，１４は、封印ネジの別の変更例を示したものであり、この封印ネジ５５は、金属製の雄ネジ部６１とこの雄ネジ部６１の軸線上に一体に設けた金属製の回転部材６２とを備えるとともに、この回転部材６２の先端すなわち雄ネジ部６１とは反対端にフランジからなる抜止め用突部６２ａを形成している。上記のようにした回転部材６２は、金属製の回転操作部材６４で覆うが、この回転操作部材６４は、円筒部６４ａとこの円筒部６４ａの一方の開口をふさぐ覆い部６４ｂとによって袋ナット状にしている。
【００７６】
そして、回転部材６２の外周と上記回転操作部材６４の円筒部６４ａ内面との間に空間７０を形成するとともに、この空間７０に円柱状の回転体７１を組み入れている。そして、空間７０は、図１４に示すように、上記雄ネジ部６１を締め付ける回転方向（矢印方向）に向かって幅広部７０ａから徐々に幅狭部７０ｂに変化する構成にしている。そして、幅広部７０ａのうち最大の幅を保持した部分は、上記回転体７１の直径よりも大きくし、この部分に位置する回転体７１が自由回転できるようにしている。したがって、上記雄ネジ部６１を緩める方向に回転操作部材６４を回して、回転体７１が上記最大幅広部に位置したときには、回転操作部材６４と回転部材６２とが相対回転し、回転操作部材６４が回転部材６２に対して自由回転することになる。
【００７７】
また、上記幅狭部７０ｂのうち、最小の幅を保持した部分は、上記回転体７１の直径よりも小さくし、この部分に回転体７１がはまり込んだとき、この回転体７１の自由回転が阻止されるとともに、この回転体７１を介して、回転操作部材６４の回転力が回転部材６２に伝達されるようにしている。したがって、上記雄ネジ部６１を締め付ける回転方向に回転操作部材６４を回して、回転体７１が上記最少幅狭部に位置したときには、回転操作部材６４と回転部材６２とが一体回転することになる。
【００７８】
さらに、上記幅狭部７０ｂの最も幅が狭い位置よりも、上記雄ネジ部６１の締め付け方向前方部位における回転操作部材６４の円筒部６４ａの内周に段部７２を形成し、この段部７２を境にして上記雄ネジ部６１の締め付け方向前方部位に、回転体７１の直径よりも大きな空間からなる拡幅部７３を形成している。
【００７９】
したがって、雄ネジ部６１が回転操作部材６４の回転力で締め付けられて、それがネジ終端に達し、それ以上雄ネジ部６１が回転できなくなった状態で、回転操作部材６４をさらに回転させようとしたときには、回転体７１は段部７２を乗り越えて拡幅部７３に至る。したがって、回転体７１はこの拡幅部７３において自由回転ができることになる。拡幅部７３において回転体７１が自由回転できる状態では、回転操作部材６４をどのように強い力で回しても、それが空回転することになる。したがって、回転操作部材６４を強く回しても雄ネジ部６１がねじ切れたりしない。
【００８０】
なお、図中符号７４はリテーナー７５に保持されたスプリングで、上記回転体７１を幅狭部７０ｂの方向に押し付けるものである。また、符号７６は回転操作部材６４の覆い部６４ｂに形成した溝で、この溝７６に図示していないドライバーを差し込んで回転操作部材６４を回転させるものである。特に、この溝７６は、回転操作部材６４を締め付け対象の表面から理没させるような場合に有効に機能するものである。なお、この溝７６は、上記実施形態の封印ネジ１３、封印ネジ５１〜５４の覆い部６４ｂに形成すれば、同様の機能を発揮することは当然である。さらに、上記封印ネジ５５においては、回転体７１、空間７０の幅広部７０ａおよび幅狭部７０ｂが相まって、この発明の回転伝達機構を構成するものである。
【００８１】
図１５は、封印ネジの別の変更例を示したものであり、この封印ネジ５６は、上記封印ネジ５５の段部７２および拡幅部７３を設けていないもので、その他は封印ネジ５５とまったく同じである。ちなみに、符号６２は回転部材、６４は回転操作部材、７０は空間、７０ａは幅広部、７０ｂは幅狭部、７１は円柱状の回転体、７４はスプリング、７５はリテーナーで、このほかに抜止め用突部およびドライバーを差し込む溝を備えていることは封印ネジ５５と同じである。
【００８２】
加えて、遊技機に搭載する制御装置は、上記実施形態の如く、上カバーと下カバーとを合着させて、それらのカバーの両端を封印ネジで螺着するものや、下カバーの上面において上カバーをスライドさせることによって上カバーと下カバーとを重ね合わせ、その状態で、封印ネジによって上カバーと下カバーとを一箇所あるいは複数箇所で螺着するものに限定されず、嵌合凹部内への嵌合突起の嵌め込み等の方法によって上下カバーの一側面を固着するとともに、上下カバーの対向する側面を封印ネジによって一箇所あるいは複数箇所で螺着するものに変更することも可能である。かかる構成を採用した場合でも、下カバーの上面において上カバーをスライドさせることにより上下カバーを重ね合わせて封印ネジで螺着するものとした場合と同様に、上下カバーを一箇所のみにおいて封印ネジで螺着することによって開放不能（痕跡を残すことなく開放不能）なものとすることができる。
【００８３】
また、遊技機に搭載する制御装置を、上記第一実施形態の如く、上カバーと下カバーとを合着させて、それらのカバーの両端を封印ネジで螺着するものとする場合には、封印ネジの設置態様は、上カバーの左上方のネジ保持部、および、右下方のネジ保持部に、ワンウェイクラッチタイプの封印ネジを設置し、左上方以外のネジ保持部、および、右下方以外のネジ保持部に、非ワンウェイクラッチタイプの封印ネジを設置する態様に限定されず、上カバーの片側のネジ保持部に、ワンウェイクラッチタイプの封印ネジを設置し、対向する側のネジ保持部に、非ワンウェイクラッチタイプの封印ネジを設置する態様や、場所に関係なく所定個数のネジ保持部のみにワンウェイクラッチタイプの封印ネジを設置し、その他のネジ保持部に非ワンウェイクラッチタイプの封印ネジを設置する態様等に変更することも可能である。
【００８４】
さらに、遊技機に搭載する制御装置を、上記第二実施形態の如く、下カバーの上面において上カバーをスライドさせることにより上下カバーを重ね合わせて封印ネジで螺着するものとする場合には、封印ネジの設置態様は、上カバーの片側方のネジ保持部に、ワンウェイクラッチタイプの封印ネジを設置し、対向する他の側方のネジ保持部に、非ワンウェイクラッチタイプの封印ネジを設置する態様に限定されず、上カバーの対向する両側方の特定位置のネジ保持部に、ワンウェイクラッチタイプの封印ネジを設置し、その他のネジ保持部に、非ワンウェイクラッチタイプの封印ネジを設置する態様や、場所に関係なく所定個数のネジ保持部のみにワンウェイクラッチタイプの封印ネジを設置し、その他のネジ保持部に非ワンウェイクラッチタイプの封印ネジを設置する態様等に変更することも可能である。
【００８５】
加えて、遊技機に搭載する制御装置は、上記各実施形態の如く、ワンウェイクラッチタイプの封印ネジを設置するネジ保持部を非ワンウェイクラッチタイプの封印ネジを設置するネジ保持部より大径にしたものに限定されず、両者を同じ大きさにしたものでも良い。
【００８６】
また、本発明に係る遊技機は、一つの制御装置が設置されており、当該制御装置の封印ネジとして、ワンウェイクラッチタイプの封印ネジと非ワンウェイクラッチタイプの封印ネジとを用いたものに限定されず、複数の制御装置が設置されており、それらの内のいずれかの一つあるいは複数の制御装置の封印ネジとして、ワンウェイクラッチタイプの封印ネジを用い、その他の制御装置の封印ネジとして、非ワンウェイクラッチタイプの封印ネジを用いたものに変更することも可能である。なお、かかる構成を採用する場合の封印ネジの使用態様の一つとして、ペンチ等の工具を使用し易い場所に設置された制御装置の封印ネジとして、ワンウェイクラッチタイプの封印ネジを用い、工具を使用しにくい場所（各種の部材、部品が狭いスペースの中に込み入った状態で設置された場所等）に設置された制御装置の封印ネジとして、非ワンウェイクラッチタイプの封印ネジを用いる態様を挙げることができる。かかる態様を用いた場合には、より少いワンウェイクラッチタイプの封印ネジの使用で、きわめて高い不正行為防止性能を発現させることが可能となる。
【００８７】
また、遊技機に搭載する制御装置は、下カバーから取り外す回転方向（以下、脱離方向という）が同一のワンウェイクラッチタイプの封印ネジのみによって上下ケースを封印したものに限定されず、脱離方向が異なる２種類のワンウェイクラッチタイプの封印ネジを用いて上下ケースを封印したものに変更することも可能である。すなわち、上記各実施形態の如きワンウェイクラッチタイプの封印ネジは、回転操作部材が空回りした場合には、脱離方向がどちらか分からなくなる。それゆえ、脱離方向を上記実施形態と異ならせた封印ネジを混在させた場合には、各封印ネジの脱離方向の特定がきわめて困難なものとなり、仮に、空回りを阻止するために接着剤等が回転操作部材と雄ネジ部との間に流し込まれた場合でも、封印ネジを短時間の内に下カバーから取り外すことができなくなる。したがって、上記の如く脱離方向が異なる２種類のワンウェイクラッチタイプの封印ネジを用いた場合には、痕跡を残すことなく上カバーが取り外されて制御素子が不正に取り替えられたり改造されたりする事態を、非常に高い精度で効果的に防止することが可能となる。
【００８８】
さらに、封印ネジは、上記各実施形態の如く、回転操作部材にネジ溝が設けられていないものに限定されず、プラスドライバ用あるいはマイナスドライバ用のネジ溝を回転操作部材に設けたり、プラスドライバ用のネジ溝とマイナスドライバ用のネジ溝とを混在させたりすることも可能である。かかる構成を採用した場合には、下カバーに螺着させる際にドライバーを利用して回転操作部材を容易に回転させることができるようになるが、封印ネジによる封印機能が損なわれたりしない。
【００８９】
さらに、本発明に係る遊技機は、設置された複数の制御装置のケース（ボックス）毎に異なる封印ネジを用いたものでも良い。加えて、制御装置毎に、ワンウェイクラッチタイプの封印ネジを異ならせることも可能である。また、３種類以上の制御装置がある場合（たとえば、主基板と２つ以上のサブ基板がある場合）には、３種類以上のワンウェイクラッチタイプの封印ネジを使用し、主基板のボックス、第一のサブ基板ボックス、第二のサブ基板ボックス・・・に使用するワンウェイクラッチタイプの封印ネジを、それぞれ、封印ネジ（１）、封印ネジ（２）、封印ネジ（３）・・・として、各制御装置に使用するワンウェイクラッチタイプの封印ネジをそれそれ異ならせることも可能である。
【００９０】
また、設置された各制御装置のボックス毎に異なるワンウェイクラッチタイプの封印ネジを用いる場合には、各制御装置のボックスに対応させて、各ボックス毎に、使用する封印ネジの頭部の大きさを異ならせることも可能である。
【００９１】
一方、複数種類のワンウェイクラッチタイプの封印ネジを用いる場合には、異なるワンウェイクラッチタイプの封印ネジ毎に、当該封印ネジの頭部の色を変更しても良い。 かかる構成を採用することにより、封印ネジの大きさが異なる場合に、大きさの差がわずかであっても容易に各ネジが同一であるか否かを把握することができ、封印ネジでケース（ボックス）を封印する際に、封印ネジの締着場所の誤認を防止することができるようになる。
【００９２】
また、３種類以上の制御装置がある場合（主基板と２つ以上のサブ基板がある場合）には、主基板ボックスに、ワンウェイクラッチタイプの封印ネジを使用し、その他のボックスに、非ワンウェイクラッチタイプの封印ネジ（かしめネジ) を使用することも可能である。なお、かかる構成を採用する場合には、主基板ボックス以外のボックスを通常のネジで封印することも可能である。そのように制御装置（基板）の重要性を考慮し、防犯性を高める必要があるものと防犯性を高める必要がないものとで複数種類の封印ネジ（あるいは通常のネジ）を使い分けることにより、遊技機を安価に構築することが可能となる。
【００９３】
一方、ワンウェイクラッチタイプの封印ネジは、上記実施形態の如く、ヘッド部上側の形状、大きさや色の少なくとも何れかを非ワンウェイクラッチタイプの封印ネジと異ならせたものに限定されず、ヘッド部上側の形状、大きさや色を非ワンウェイクラッチタイプの封印ネジと同じにし、上部から見た場合に見分けがつかないように形成したものでも良い。複数の制御装置のボックス毎に異なるワンウェイクラッチタイプの封印ネジを用いる態様において、そのような構成を採用した場合には、制御装置（基板）の重要性を考慮し、防犯性を高める必要があるものと防犯性を高める必要がないものとで複数種類の封印ネジを使い分けることが可能である上、上部から見ても封印ネジの外観が同じなので、防犯性を高めた制御装置（基板）か否かが見た日で認識しし辛くなるため、“ワンウェイクラッチタイプの封印ネジを用いて防犯性を高めた制御装置”＝“重要性の高い制御装置”と認識されることにより当該制御装置に不正行為の的が絞られる事態を回避できるため、防犯性が一層向上する。
【００９４】
また、一つの制御装置のボックスにおいて異なるワンウェイクラッチタイプの封印ネジを用いる場合でも、同様に、ワンウェイクラッチタイプの封印ネジを、ヘッド部上側の形状、大きさや色を非ワンウェイクラッチタイプの封印ネジと同じにし、上部から見た場合に見分けがつかないように形成したものとすることも可能である。かかる構成を採用する場合には、たとえば、封印する際に同時に使用する最初の１組目のみをワンウェイクラッチタイプの封印ネジとして、その他の組 (たとえば、２組目以降) を非ワンウェイクラッチタイプの封印ネジとすることも可能である。本来、制御装置のボックス（かしめボックス）は、最初に止める１組目の封印ネジで封印していることが多く、修理等のために当該ボックスを頻繁に開放したり、外部機関の不正チェックのために当該ボックスを頻繁に開放したりしない限り、２組日以降の封印ネジが使用されることは少ない。よって、最初の１組目の封印ネジによるセキュリティ一性を高めることを重点的に意図する場合には、上記の如く、最初の１組目のみをワンウェイクラッチタイプの封印ネジとしてその他の組を非ワンウェイクラッチタイプの封印ネジとする方法は、有効である。
【００９５】
加えて、複数の制御装置のボックスにおいて異なるワンウェイクラッチタイプの封印ネジを用いる場合には、３種類以上のワンウェイクラッチタイプの封印ネジを組み合わせて用いることが可能であるし、使用する封印ネジの内の少なくとも１種類を、ワンウェイクラッチタイプの封印ネジとし、その他の封印ネジとして、複数種類の非ワンウェイクラッチタイプの封印ネジを使用することも可能である。
【００９６】
また、一つの制御装置のボックスにおいて異なるワンウェイクラッチタイプの封印ネジを用いる場合でも、３種類以上のワンウェイクラッチタイプの封印ネジを組み合わせて用いることが可能であるし、使用する封印ネジの内の少なくとも１種類を、ワンウェイクラッチタイプの封印ネジとし、その他の封印ネジとして、複数種類の非ワンウェイクラッチタイプの封印ネジを使用することも可能である。
【００９７】
加えて、右回りおよび左回りの２種類のワンウェイクラッチタイプの封印ネジを使用する場合には、封印ネジのヘッド部上側を、右回りの封印ネジと、左回りの封印ネジとで、形状、大きさや色を同じに設定して、上部から見ても、見分けがつかないように設定することも可能である。かかる構成を採用することによって、封印ネジを取り外そうとする場合に、右回りか、左回りかを把握できない上、外観も同じであるので、一層防犯性が高いものとなる。
【００９８】
なお、上記実施形態においては遊技機がパチンコ機である場合の一例について説明したが、本発明の遊技機は、スロットマシーンやテレビゲーム等のパチンコ機以外の遊技機でも良い。
【符号の説明】
【００９９】
１，２１・・制御装置
４ａ，４ｂ，２２・・基板
５，２４・・下カバー
６，２３・・上カバー
８・・制御素子  
９，２５・・ネジ保持部
１０，２７・・取付片
１３，５１〜５６・・ワンウェイクラッチタイプの封印ネジ
１４・・非ワンウェイクラッチタイプの封印ネジ
６１・・雄ネジ部
６２・・回転部材
６３・・コイルスプリング
６４・・回転操作部材
６４ａ・・円筒部
６４ｂ・・覆い部
６５・・抜止め用突部
６７・・抜止め用突部
６８・・雌ネジ部
６９・・回転部材
６９ａ・・抜止め用突部
７０・・空間
７０ａ・・幅広部 
７０ｂ・・幅狭部
７１・・回転体
７２・・段部
７３・・拡幅部
８１・・パチンコ機
【図１】
2011041715.tif 000003
【図２】
2011041715.tif 000004
【図３】
2011041715.tif 000005
【図４】
2011041715.tif 000006
【図５】
2011041715.tif 000007
【図６】
2011041715.tif 000008
【図７】
2011041715.tif 000009
【図８】
2011041715.tif 000010
【図９】
2011041715.tif 000011
【図１０】
2011041715.tif 000012
【図１１】
2011041715.tif 000013
【図１２】
2011041715.tif 000014
【図１３】
2011041715.tif 000015
【図１４】
2011041715.tif 000016
【図１５】
2011041715.tif 000017